(57)【要約】【課題】局部洗浄装置などのケーシングと、便器と、の間への汚水浸入を防止するシール材を容易に清掃することができる、あるいはその間の隙間部分などを容易に清掃することができるトイレ装置を提供することを目的とする。【解決手段】ボウルを有する便器と、前記ボウルよりも後方における前記便器の上面に設置され、機能部品を内蔵するケーシングと、前記便器の上面および前記ケーシングの下面の少なくともいずれか一方に設けられ、前記便器と、前記ケーシングと、の間への水の浸入を抑制するシール材と、前記ケーシングの後方側を前記便器に取り付ける固定具と、前記ケーシングの前方側を前記便器の上面から上昇させ、前記シール材を前記便器の上面および前記ケーシングの下面のいずれか他方から離間させる昇降装置と、を備えたことを特徴とするトイレ装置が提供される。【選択図】図３
2010275686.tif 000002
【特許請求の範囲】
【請求項１】
ボウルを有する便器と、
前記ボウルよりも後方における前記便器の上面に設置され、機能部品を内蔵するケーシングと、
前記便器の上面および前記ケーシングの下面の少なくともいずれか一方に設けられ、前記便器と、前記ケーシングと、の間への水の浸入を抑制するシール材と、
前記ケーシングの後方側を前記便器に取り付ける固定具と、
前記ケーシングの前方側を前記便器の上面から上昇させ、前記シール材を前記便器の上面および前記ケーシングの下面のいずれか他方から離間させる昇降装置と、
を備えたことを特徴とするトイレ装置。
【請求項２】
前記固定具は、
前記ケーシングの下面に設けられた凹部に収められ、前記ケーシングに対して回動可能な固定部と、
前記固定部を前記便器に回動不能に取り付ける取付具と、
を有することを特徴とする請求項１記載のトイレ装置。
【請求項３】
前記昇降装置は、前記便器および前記ケーシングのいずれか一方に設けられ、
回動することにより前記ケーシングの前方側を前記便器の上面から上昇させる受け部を有する回動軸と、
前記回動軸を回動させる作動部と、
を有することを特徴とする特徴とする請求項１または２に記載のトイレ装置。
【請求項４】
前記便器および前記ケーシングのいずれか他方に設けられ、前記受け部を支持するガイド部をさらに備え、
前記ガイド部は、前記回動軸が回動することにより前記受け部が前記ケーシングの前方側を前記便器の上面から上昇させた際に、前記受け部を保持し前記受け部が前記ガイド部から離間することを防止する係合部を有することを特徴とする請求項３記載のトイレ装置。
【請求項５】
前記作動部は、前記回動軸に設けられたハンドルであり、
前記便器は、前記ハンドルの表面と、前記便器の外郭面と、が同一面となるように前記ハンドルを収納可能な収納部を有することを特徴とする請求項４記載のトイレ装置。
【請求項６】
前記ガイド部は、前記回動軸を保持可能な第１のロック部をさらに有し、
前記第１のロック部は、前記ハンドルが前記収納部に収納された状態では前記回動軸を保持して前記ケーシングの前方側を前記便器の上面から上昇不能とし、前記ハンドルが前記収納部から外方に引き出された状態では前記回動軸の保持を解除して前記ケーシングの前方側を前記便器の上面から上昇可能とすることを特徴とする請求項５記載のトイレ装置。
【請求項７】
前記昇降装置は、前記ハンドルを前記収納部に収納する方向に前記回動軸を付勢する付勢部材と、前記回動軸を回動不能に保持可能な第２のロック部を有するロック部材と、をさらに有し、
前記第２のロック部は、前記回動軸が回動することにより前記受け部が前記ケーシングの前方側を前記便器の上面から上昇させた状態において、前記ハンドルが前記付勢部材の付勢力により前記収納部の方向に移動した際に前記回動軸を回動不能に保持し、前記ハンドルが前記付勢部材の付勢力に抗って引き出された際に前記回動軸の保持を解除し前記回動軸を回動可能とすることを特徴とする請求項６記載のトイレ装置。
【請求項８】
ボウルを有する便器と、
前記ボウルよりも後方における前記便器の上面に設置され機能部品を内蔵するケーシングと、
前記便器の上面および前記ケーシングの下面の少なくともいずれか一方に設けられ、前記便器と、前記ケーシングと、の間への水の浸入を抑制するシール材と、
前記ケーシングの後方側に設けられ前記ケーシングを前記便器に固定し、前記便器に対して前記ケーシングを回動可能とする第１の固定部と、
前記ケーシングの前方側に設けられ前記ケーシングを前記便器に固定し、前記便器に対して前記ケーシングを昇降可能とする第２の固定部と、
を備えたことを特徴とするトイレ装置。
【発明の詳細な説明】
【技術分野】
【０００１】
本発明の態様は、一般的に、トイレ装置に関し、具体的には洋式腰掛便器に腰かけた使用者の「おしり」などを水で洗浄可能としたトイレ装置に関する。
【背景技術】
【０００２】
トイレ装置のなかには、例えば、便座に座った使用者の「おしり」などを洗浄する局部洗浄機能や、便座に座った使用者の「おしり」などに向けて温風を吹き付けて乾燥させる温風乾燥機能などを有する局部洗浄装置が設けられたものがある。このような局部洗浄装置が有する各種機能の機能部品は、一般的に、洋式腰掛便器（以下、単に「便器」と称する）の後方上部に設置されたケーシングに内蔵されている。このとき、局部洗浄装置のケーシングと、便器の上面と、の間の隙間には、汚れやゴミが溜まる場合がある。
【０００３】
そこで、局部洗浄装置のケーシングと、便器の上面と、の間の隙間に汚れやゴミが溜まることを防止するために、局部洗浄装置の底面の前端部にシール材を設け、局部洗浄装置と便器との間への汚水浸入を防止する局部洗浄装置がある（特許文献１）。しかしながら、特許文献１に記載された局部洗浄装置では、局部洗浄装置と便器との間の近傍に付着あるいは飛散した汚水は、シール材により堰き止められるため、そのシール材には汚れが付着する場合がある。これにより、シール材から異臭が発生する場合がある。
【先行技術文献】
【特許文献】
【０００４】
【特許文献１】特開２００３−１０５８３０号公報
【発明の概要】
【発明が解決しようとする課題】
【０００５】
本発明は、かかる課題の認識に基づいてなされたものであり、局部洗浄装置などのケーシングと、便器と、の間への汚水浸入を防止するシール材を容易に清掃することができる、あるいはその間の隙間部分などを容易に清掃することができるトイレ装置を提供することを目的とする。
【課題を解決するための手段】
【０００６】
第１の発明は、ボウルを有する便器と、前記ボウルよりも後方における前記便器の上面に設置され、機能部品を内蔵するケーシングと、前記便器の上面および前記ケーシングの下面の少なくともいずれか一方に設けられ、前記便器と、前記ケーシングと、の間への水の浸入を抑制するシール材と、前記ケーシングの後方側を前記便器に取り付ける固定具と、前記ケーシングの前方側を前記便器の上面から上昇させ、前記シール材を前記便器の上面および前記ケーシングの下面のいずれか他方から離間させる昇降装置と、を備えたことを特徴とするトイレ装置である。  
このトイレ装置によれば、昇降装置によりケーシングの前方部を便器の上面から上昇させると、シール材が便器あるいはケーシングから離間するため、シール材やその離間した隙間の部分を容易に清掃することができる。
【０００７】
また、第２の発明は、第１の発明において、前記固定具は、  前記ケーシングの下面に設けられた凹部に収められ、前記ケーシングに対して回動可能な固定部と、前記固定部を前記便器に回動不能に取り付ける取付具と、を有することを特徴とするトイレ装置である。  
このトイレ装置によれば、固定部は、ケーシングの凹部に収められ、トイレ装置の外部から見られることはないため、トイレ装置の意匠性が損なわれることはない。また、ケーシングに対して回動可能な固定部と、固定部を便器に取り付ける取付具と、は別部材であるため、ケーシングを便器に楽に取り付け、便器に対して楽に回動させることができる。
【０００８】
また、第３の発明は、第１または第２の発明において、前記昇降装置は、前記便器および前記ケーシングのいずれか一方に設けられ、回動することにより前記ケーシングの前方側を前記便器の上面から上昇させる受け部を有する回動軸と、前記回動軸を回動させる作動部と、を有することを特徴とする特徴とするトイレ装置である。  
このトイレ装置によれば、使用者などが回動軸を回動させると、受け部は、便器の上面あるいはケーシングの下面を滑りつつ回動し、ケーシングの前方部を便器の上面から昇降させることができる。そのため、昇降装置を簡略的な構造とすることができ、大幅なコストアップを必要とせずにトイレ装置に昇降機能を付加することができる。
【０００９】
また、第４の発明は、第３の発明において、前記便器および前記ケーシングのいずれか他方に設けられ、前記受け部を支持するガイド部をさらに備え、前記ガイド部は、前記回動軸が回動することにより前記受け部が前記ケーシングの前方側を前記便器の上面から上昇させた際に、前記受け部を保持し前記受け部が前記ガイド部から離間することを防止する係合部を有することを特徴とするトイレ装置である。  
このトイレ装置によれば、ガイド部は、ケーシングの前方を便器の上面から上昇させた際に回動軸を保持するため、ケーシングは、無理にあるいは悪戯に持ち上げられても必要以上に上昇しない。これにより、トイレ装置が破壊したり破損したりすることを抑制することができる。
【００１０】
また、第５の発明は、第４の発明において、前記作動部は、前記回動軸に設けられたハンドルであり、前記便器は、前記ハンドルの表面と、前記便器の外郭面と、が同一面となるように前記ハンドルを収納可能な収納部を有することを特徴とするトイレ装置である。  このトイレ装置によれば、使用者などは、収納部に収納されたハンドルを引き出し回動させることにより、ケーシングの前方部を便器の上面から上昇させ、シール材を便器あるいはケーシングから離間させることができる。そのため、使用者などは、シール材やその離間した隙間の部分を容易に清掃することができる。
【００１１】
また、第６の発明は、第５の発明において、前記ガイド部は、前記回動軸を保持可能な第１のロック部をさらに有し、前記第１のロック部は、前記ハンドルが前記収納部に収納された状態では前記回動軸を保持して前記ケーシングの前方側を前記便器の上面から上昇不能とし、前記ハンドルが前記収納部から外方に引き出された状態では前記回動軸の保持を解除して前記ケーシングの前方側を前記便器の上面から上昇可能とすることを特徴とするトイレ装置である。  
このトイレ装置によれば、ハンドルが収納部に収納されている状態、すなわちケーシングの前方部が下降している状態において、第１のロック部は、回動軸を保持することができる。そのため、ケーシングの前方部が下降している状態において、ケーシングが無理にあるいは悪戯に持ち上げられても、ケーシングはその状態から上昇しない。これにより、トイレ装置が破壊したり破損したりすることを抑制することができる。
【００１２】
また、第７の発明は、第６の発明において、前記昇降装置は、前記ハンドルを前記収納部に収納する方向に前記回動軸を付勢する付勢部材と、前記回動軸を回動不能に保持可能な第２のロック部を有するロック部材と、をさらに有し、前記第２のロック部は、前記回動軸が回動することにより前記受け部が前記ケーシングの前方側を前記便器の上面から上昇させた状態において、前記ハンドルが前記付勢部材の付勢力により前記収納部の方向に移動した際に前記回動軸を回動不能に保持し、前記ハンドルが前記付勢部材の付勢力に抗って引き出された際に前記回動軸の保持を解除し前記回動軸を回動可能とすることを特徴とするトイレ装置である。  
このトイレ装置によれば、ケーシングの前方部が便器の上面から上昇した状態において、第２のロック部は、回動軸を保持することができる。そのため、ケーシングの前方部が上昇している状態において、使用者や清掃用具などがハンドルあるいは回動軸や受け部に不意に接触しても、ケーシングの前方部が不意に下降することを防止することができる。これにより、使用者は、より安心してシール材などを清掃することができる。
【００１３】
また、第８の発明は、ボウルを有する便器と、前記ボウルよりも後方における前記便器の上面に設置され機能部品を内蔵するケーシングと、前記便器の上面および前記ケーシングの下面の少なくともいずれか一方に設けられ、前記便器と、前記ケーシングと、の間への水の浸入を抑制するシール材と、前記ケーシングの後方側に設けられ前記ケーシングを前記便器に固定し、前記便器に対して前記ケーシングを回動可能とする第１の固定部と、前記ケーシングの前方側に設けられ前記ケーシングを前記便器に固定し、前記便器に対して前記ケーシングを昇降可能とする第２の固定部と、を備えたことを特徴とするトイレ装置である。  
このトイレ装置によれば、昇降装置によりケーシングの前方部を便器の上面から上昇させると、シール材が便器あるいはケーシングから離間するため、シール材やその離間した隙間の部分を容易に清掃することができる。また、ケーシングの全体を上昇させるわけではなく、後方部を中心として回動させつつ前方部のみを上昇させるため、ケーシングに内蔵された各種機能部品への給水および給電のためにそれぞれ使用される配管および配線は、ほとんど伸縮しない。これにより、ケーシングの前方部が昇降するときに、これらの配管および配線などが破損したり損傷を受けることを抑制することができる。またさらに、ケーシングは、昇降動作を行っていない状態では、第１および第２の固定部により後方部および前方部を便器にそれぞれ固定されているため、使用者が便座に座ったときの安定感を確保することができる。
【発明の効果】
【００１４】
本発明の態様によれば、局部洗浄装置などのケーシングと、便器と、の間への汚水浸入を防止するシール材を容易に清掃することができる、あるいはその間の隙間部分などを容易に清掃することができるトイレ装置が提供される。
【図面の簡単な説明】
【００１５】
【図１】本発明の実施の形態にかかるトイレ装置を表す斜視模式図である。
【図２】本実施形態にかかるトイレ装置においてハンドルを引き出した状態を表す斜視模式図である。
【図３】本実施形態にかかるトイレ装置においてハンドルを回動させた状態を表す斜視模式図である。
【図４】本実施形態のケーシングを下側から眺めた斜視模式図である。
【図５】ケーシングの前方側が上昇した状態を側方から眺めた断面模式図である。
【図６】本実施形態の固定具を説明するための斜視模式図である。
【図７】本実施形態の固定具を説明するための断面模式図である。
【図８】本実施形態の昇降装置の取付構造を表す斜視模式図である。
【図９】本実施形態の昇降装置を分解して眺めた分解模式図である。
【図１０】便器８００の後方側における内部構造を表す斜視模式図である。
【図１１】本実施形態のガイドプレートを表す斜視模式図である。
【図１２】ケーシングの前方側が上昇した状態において昇降装置の近傍を眺めた断面模式図である。
【図１３】ケーシングの前方側が上昇した状態において係合部を拡大して眺めた拡大模式図である。
【図１４】ケーシングの前方側が下降した状態において昇降装置の近傍を眺めた断面模式図である。
【図１５】ハンドルを操作するときのフックの動作を説明するための平面模式図である。
【図１６】ケーシングを便器の上面に設置するときのフックの動作を説明するための断面模式図である。
【図１７】ケーシングを便器の上面に設置するときのフックおよびスライダの動作を説明するための平面模式図である。
【図１８】昇降装置の内部構造を表す斜視模式図である。
【図１９】ケーシングが不意に下降することを防止するロック機構の動作を説明するための平面模式図である。
【図２０】回動軸の先端部を軸方向にみたときの回動軸とロック部材との関係を表す平面模式図である。
【図２１】本実施形態にかかるトイレ装置を右側方から眺めた平面模式図である。
【図２２】ハンドルの近傍の構造を説明するための拡大模式図である。
【図２３】ハンドルの把持方法の一例を表す斜視模式図である。
【図２４】ハンドルと回動軸との取付構造を例示する拡大模式図である。
【発明を実施するための形態】
【００１６】
以下、本発明の実施の形態について図面を参照しつつ説明する。なお、各図面中、同様の構成要素には同一の符号を付して詳細な説明は適宜省略する。  
図１は、本発明の実施の形態にかかるトイレ装置を表す斜視模式図である。  
また、図２は、本実施形態にかかるトイレ装置においてハンドルを引き出した状態を表す斜視模式図である。  
また、図３は、本実施形態にかかるトイレ装置においてハンドルを回動させた状態を表す斜視模式図である。
【００１７】
本実施形態にかかるトイレ装置は、前部にボウル８１０を有する便器８００と、便器８００の上部に設置された局部洗浄装置１００と、を備える。局部洗浄装置１００は、ボウル８１０の後方上部に設置されたケーシング２００と、そのケーシング２００に対して開閉自在に軸支された便座３００および便蓋４００と、を有する。また、ケーシング２００の内部には、便座３００に座った使用者の「おしり」などの洗浄を実現する局部洗浄機能部などが内蔵されている。
【００１８】
なお、ケーシング２００の内部には、例えば、便器８００のボウル８１０内の空気を吸い込み、フィルタや触媒などを介して臭気成分を低減させる脱臭機能部や、便座３００に座った使用者の「おしり」などに向けて温風を吹き付けて乾燥させる温風乾燥機能部や、トイレ室内に温風を吹き出してトイレ室を暖房する室内暖房機能部などが内蔵されていてもよい。
【００１９】
また、便器８００の後方側部には、パネル８３０が設けられている。これによれば、パネル８３０は、便器８００の側面や適宜設けられた配管などを覆い隠すことができるため、意匠性を確保することができる。
【００２０】
ケーシング２００の下部には、図１に表したように、ハンドル（作動部）５４０が設けられている。使用者は、例えば手などを利用することにより、図２に表した矢印Ａ１のように、ハンドル５４０を右側方に引き出すことができる。そしてさらに、使用者は、図３に表した矢印Ａ２のように、その引き出したハンドル５４０を回動させることができる。そうすると、ケーシング２００の前方側は、図３に表した矢印Ａ３のように、ケーシング２００の後方側を中心として回動し、便器８００の上面８２０から上昇して離間できる。
【００２１】
そうすると、図３に表したように、ハンドル５４０を矢印Ａ２の方向に回動させる前、すなわちケーシング２００の前方側が上昇する前よりも大きな隙間が、ケーシング２００と、便器８００の上面８２０と、の間において生ずる。これによれば、使用者は、ケーシング２００と、便器８００の上面８２０と、の間の隙間から清掃用具や手などを入れることにより、その隙間の部分や、ケーシング２００と便器８００との間への汚水浸入を防止するシール材２２１などを容易に清掃することができる。なお、シール材２２１は、後述するように、ケーシング２００の下面と、便器８００の上面８２０と、の間に設けられている。
【００２２】
また、ケーシング２００と、便器８００の上面８２０と、の間の隙間に汚れやゴミが溜まったり、シール材２２１に汚れが付着したままの状態となることを抑制することができる。そのため、便器８００の上面８２０との間の隙間や、シール材２２１から異臭が発生することを抑制することができる。またさらに、本実施形態では、ケーシング２００の全体を上昇させるわけではなく、ケーシング２００の前方側を回動させて上昇させるため、ケーシング２００に内蔵された各種機能部品への給水および給電のためにそれぞれ使用される配管および配線は、ほとんど伸縮しない。そのため、ケーシング２００の前方側の昇降時には、これらの配管および配線などが破損したり損傷を受けるおそれは少ない。
【００２３】
次に、ケーシング２００の前方側を上昇させる機構および動作について、図面を参照しつつさらに詳細に説明する。  
図４は、本実施形態のケーシングを下側から眺めた斜視模式図である。  
また、図５は、ケーシングの前方側が上昇した状態を側方から眺めた断面模式図である。  
なお、図４（ａ）は、ハンドル５４０を回動させる前の状態を表しており、図４（ｂ）は、ハンドル５４０を回動させた後の状態を表している。  
また、図５は、図３に表したＤ−Ｄ断面図である。
【００２４】
図４（ａ）および図４（ｂ）に表したように、ケーシング２００は、ケースカバー２１０と、ケースプレート２２０と、を有する。局部洗浄機能などの機能部品は、ケースプレート２２０に適宜載置され、その上方をケースカバー２１０により覆われている。ケースプレート２２０の下面には、図４（ａ）および図４（ｂ）に表したように、便器８００のボウル８１０の形状に略沿うように直線部分や湾曲部分などを有するシール材２２１が付設されている。つまり、シール材２２１は、ケースプレート２２０の下面におけるボウル８１０側の前端部に付設されている。
【００２５】
但し、シール材２２１の設置位置は、これだけに限定されるわけではなく、便器８００の上面８２０に付設されていてもよい。あるいは、シール材２２１は、ケースプレート２２０の下面と、便器８００の上面８２０と、の両方に付設されていてもよい。なお、本実施形態では、シール材２２１がケースプレート２２０の下面に付設されている場合を例に挙げて説明する。
【００２６】
シール材２２１は、例えばゴムなどの弾性を有する材料により形成されている。そのため、ケーシング２００が便器８００の上面８２０に設置された際には、シール材２２１は、圧縮変形し便器８００の上面８２０に密着する。そのため、シール材２２１は、ケーシング２００と便器８００との間への汚水浸入を防止できる。
【００２７】
また、ケースプレート２２０の下面には、ケーシング２００の前方側を便器８００の上面８２０から上昇させ離間させる昇降装置（第２の固定部）５００が付設されている。昇降装置５００は、図４（ａ）および図４（ｂ）に表したように、回動軸５３０と、回動軸５３０の一端に固定されたハンドル５４０と、回動軸５３０の中間部に固定された支柱（受け部）５５０と、を有する。回動軸５３０は、ハンドル５４０の回動と連動して回動することができる。また、支柱５５０は、回動軸５３０に固定されているため回動軸５３０の回動と連動して回動することができる。つまり、ハンドル５４０を回動させると、回動軸５３０を介して支柱５５０を回動させることができる。なお、回動軸５３０と支柱５５０とは、一体的に形成されていてもよい。
【００２８】
ケーシング２００は、後方側において、固定具（第１の固定部）２４０により便器８００に取り付けられている。固定具２４０については、後に詳述するが、ケーシング２００は、固定具２４０により取り付けられた部分を中心として便器８００に対して回動することができる。
【００２９】
そして、ケーシング２００の前方側が下降した状態（図４（ａ）参照）から、図４（ｂ）および図３に表した矢印Ａ２のように、使用者がハンドル５４０を回動させると、支柱５５０は、回動軸５３０を介して伝達されたハンドル５４０からの回動力を受け、図４（ｂ）に表したように回動する。すなわち、使用者がハンドル５４０を回動させると、支柱５５０は、ケースプレート２２０の下面からみて倒立した状態となる。
【００３０】
そうすると、支柱５５０は、図５に表したように、便器８００の内部に設置されたガイドプレート（ガイド部）８４０に支持される。その結果として、支柱５５０は、昇降装置５００が付設されたケーシング２００の前方側を便器８００の上面８２０から上昇させ離間させることができる。支柱５５０が回動する際には、回動軸５３０に固定されていない側の支柱５５０の端部は、ガイドプレート８４０の表面と当接しつつその表面上をスライドする。このとき、支柱５５０およびガイドプレート８４０は、例えば樹脂などのような摺動性のより良い材料から形成されており、また支柱５５０の端部は、略円形の断面形状を有するため、その支柱５５０は、ガイドプレート８４０の表面上を滑らかにスライドすることができる。
【００３１】
これによれば、使用者は、より小さな力で楽にハンドル５４０を回動させ、ケーシング２００の前方側を便器８００の上面８２０から上昇させ離間させることができる。また、これにより、ケースプレート２２０の下面に付設されたシール材２２１を便器８００の上面８２０から離間させることができる。そのため、図１〜図３に関して前述したように、使用者は、ケーシング２００と、便器８００の上面８２０と、の間の隙間から清掃用具や手などを入れることにより、その隙間の部分やシール材２２１などを容易に清掃することができる。一方で、ケーシング２００は、上昇および下降していない状態では、昇降装置５００および固定具２４０により前方側および後方側を便器８００にそれぞれ固定されているため、使用者が便座３００に座ったときの安定感を確保することができる。また、昇降装置５００やガイドプレート８４０を簡略的な構造とすることができ、大幅なコストアップを必要とせずにトイレ装置に昇降機能を付加することができる。
【００３２】
次に、本実施形態の固定具２４０について、図面を参照しつつ説明する。  
図６は、本実施形態の固定具を説明するための斜視模式図である。  
また、図７は、本実施形態の固定具を説明するための断面模式図である。  
なお、図６（ａ）は、本実施形態の便器８００の後方側を表す斜視模式図であり、図６（ｂ）は、本実施形態の固定具２４０近傍の拡大模式図、すなわち図６（ａ）に表した領域Ｌ１における拡大模式図である。  
また、図７（ａ）は、図６（ｂ）に表したＡ−Ａ断面図であり、図７（ｂ）は、図６（ｂ）に表したＢ−Ｂ断面図であり、図７（ｃ）は、図６（ｂ）に表したＣ−Ｃ断面図である。
【００３３】
まず、図６（ａ）に表したように、便器８００の後方上部には、便器プレート８５０が固定されている。この便器プレート８５０は、例えば樹脂などにより形成されている。  
また、本実施形態の固定具２４０は、図６（ｂ）に表したように、ナット固定部材（固定部）２４１と、ナット固定部材２４１に上に載置されるナット２４２と、ナット２４２と締結されることによりナット固定部材２４１を便器プレート８５０に取り付ける取付具２４５と、取付具２４６によりケースプレート２２０に取り付けられる回動軸部材２４３と、を有する。
【００３４】
なお、本実施形態の固定具２４０の近傍の構造は一例であり、これだけに限定されるわけではない。例えば、便器プレート８５０が設けられることなく、ナット固定部材２４１は、取付具２４５により直接的に便器８００に取り付けられてもよい。また、ナット２４２がナット固定部材２４１の上に載置されることなく、取付具２４５は、直接的にナット固定部材２４１に締結されてもよい。
【００３５】
回動軸部材２４３は、図６（ｂ）に表したように、表面から突出した軸部２４３ａを有する。一方、ナット固定部材２４１は、図６（ｂ）に表したように、回動軸部材２４３の軸部２４３ａを挿入可能な軸挿入部２４１ａを有する。そして、図７（ｃ）に表したように、取付具２４６によりケースプレート２２０に取り付けられた回動軸部材２４３の軸部２４３ａが、ナット固定部材２４１の軸挿入部２４１ａに挿入される。なお、取付方法はこれだけに限定されず、例えば、回動軸部材２４３の軸部２４３ａがナット固定部材２４１の軸挿入部２４１ａに挿入され、その後に、ナット固定部材２４１と連接された回動軸部材２４３が取付具２４６によりケースプレート２２０に取り付けられてもよい。
【００３６】
続いて、図７（ａ）および図７（ｂ）に表したように、取付具２４５がナット２４２に締結されることにより、ナット固定部材２４１は、便器プレート８５０あるいは便器８００に固定される。このとき、ナット固定部材２４１は、図７（ｃ）に表したように、ケースプレート２２０に設けられた凹部２２３に収められる。そのため、ナット固定部材２４１がケースプレート２２０の底面と干渉することはなく、ケースプレート２２０がナット固定部材２４１との干渉により便器８００の上面８２０から浮き上がることはない。また、ナット固定部材２４１は、凹部２２３に収められ、トイレ装置の外部から見られることはないため、トイレ装置の意匠性が損なわれることはない。
【００３７】
そして、回動軸部材２４３の軸部２４３ａは、図７（ａ）に表した矢印Ａ４のように、ナット固定部材２４１の軸挿入部２４１ａの内部において回動することができる。つまり、回動軸部材２４３は、軸部２４３ａを中心としてナット固定部材２４１に対して回動することができる。その結果として、回動軸部材２４３に固定されたケースプレート２２０は、ナット固定部材２４１に固定された便器プレート８５０および便器８００に対して軸部２４３ａを中心として回動することができる。これにより、使用者がハンドル５４０を回動させることにより支柱５５０を回動させると、ケーシング２００は、図７（ａ）に表した矢印Ａ５のように、回動軸部材２４３の軸部２４３ａを中心として便器８００に対して回動することができる。
【００３８】
次に、本実施形態の昇降装置５００について、図面を参照しつつ説明する。  
図８は、本実施形態の昇降装置の取付構造を表す斜視模式図である。  
図９は、本実施形態の昇降装置を分解して眺めた分解模式図である。
【００３９】
本実施形態の昇降装置５００は、図８に表したように、例えばねじなどの取付具５０１によりケースプレート２２０の下面に固定される。また、昇降装置５００は、図９に表したように、ケース５１０と、回動軸５３０と、回動軸５３０の一端に固定されたハンドル５４０と、回動軸５３０の中間部に固定された支柱（受け部）５５０と、フック５７０と、フック５７０を移動させるスライダ５６０と、ケース５１０を覆うカバー５２０と、を有する。
【００４０】
回動軸５３０には、ばね（付勢部材）５８６が挿入されており、そのばね５８６を押さえる第１のばね押さえ５８５およびブッシュ５８７が取り付けられている。また、ケース５１０には、回動軸５３０の先端部の回動をロックするロック部材５８１が固定される。このロック部材５８１については、後に詳述する。スライダ５６０は、その側面から側方に突出した突部５６１を有し、その突部５６１にはばね５８９が挿入される。また、回動軸５３０には、スライダ５６０を回動軸５３０の軸方向に移動させる第２のばね押さえ５８３が取り付けられている。
【００４１】
フック５７０は、図９に表したように、その上面に溝部５７１を有する。一方、スライダ５６０は、下面から下方に突出した略円筒状の突部５６３と、前面から前方に突出した突部５６５と、を有する。スライダ５６０の突部５６３と、フック５７０の溝部５７１と、は互いに係合可能であり、突部５６３は、溝部５７１内を移動することができる。そして、後に詳述するが、スライダ５６０が回動軸５３０の軸方向に移動することにより、すなわちスライダ５６０の突部５６３がフック５７０の溝部５７１内を移動することにより、フック５７０の一部は、ケース５１０から進出したり後退したりできる。また、支柱５５０は、回動軸５３０に取り付けられた状態において、左右側方に突出した係合凸部５５１を有する。なお、図９に表した分解模式図では、左側方に突出した係合凸部５５１については、図示していない。
【００４２】
そして、回動軸５３０の一部、支柱５５０、スライダ５６０、ロック部材５８１、第１および第２のばね押さえ５８３、５８５、ブッシュ５８７、およびばね５８６、５８９は、ケース５１０に収納され、その上をカバー５２０により覆われている。このようにして組み立てられた昇降装置５００は、前述したように、取付具５０１によりケースプレート２２０の下面に固定される。
【００４３】
ここで、前述したように、使用者は、ハンドル５４０を回動させることにより、ケーシング２００の前方側を便器８００の上面８２０から上昇させ離間させることができる。そして、使用者は、ケーシング２００と、便器８００の上面８２０と、の間の隙間から清掃用具や手などを入れることにより、その隙間の部分やシール材２２１などを容易に清掃することができる。そのため、使用者が無理にあるいは悪戯にケーシング２００の前方側を必要以上に上昇させないように、本実施形態にかかるトイレ装置は、ロック機構を備えることがより好ましい。また、ケーシング２００の前方側を便器８００の上面８２０から上昇させた状態において、使用者や清掃用具などがハンドル５４０に不意に接触することによりハンドル５４０が回動すると、ケーシング２００の前方側が不意に下降する場合がある。そのため、ケーシング２００の前方側が上昇した状態から不意に下降しないように、本実施形態にかかるトイレ装置は、他のロック機構を備えることがより好ましい。以下、これらのロック機構について、図面を参照しつつ説明する。
【００４４】
まず、ケーシング２００が上昇した状態からさらに上昇することを防止するロック機構について、図面を参照しつつ説明する。  
図１０は、便器８００の後方側における内部構造を表す斜視模式図である。  
また、図１１は、本実施形態のガイドプレートを表す斜視模式図である。
【００４５】
便器８００の後方側には、図１０に表したように、昇降装置５００の支柱５５０を支持するガイドプレート８４０が固定されている。このガイドプレート８４０は、図１１に表したように、底部８４１と、その底部８４１の周縁部から上方に延在した壁面８４２と、を有する。また、ガイドプレート８４０は、略中央部において、係合部８４４を有する。
【００４６】
この係合部８４４は、先端部が左右側方から中央部に向かって屈曲した一対の係合壁８４４ａと、一対の係合壁８４４ａの間に形成された係合凹部８４４ｂと、を有する。そして、係合部８４４は、図１１に表したように、後方端では開口し、前方端では壁面８４２に接続されている。そのため、例えば、ある部材などは、係合部８４４の後端部に形成された開口から前方に向かって係合壁８４４ａと底部８４１との間を進入できる。
【００４７】
また、係合部８４４の左右側方の底部８４１には、貫通孔８４５が設けられている。そして、ガイドプレート８４０は、図示しないねじなどの取付具を貫通孔８４５に通し締結させることにより、便器８００に適宜固定される。
【００４８】
図１２は、ケーシングの前方側が上昇した状態において昇降装置の近傍を眺めた断面模式図である。  
また、図１３は、ケーシングの前方側が上昇した状態において係合部を拡大して眺めた拡大模式図である。  
なお、図１３は、係合部８４４を図１２に表した矢視Ａ６の方向にみたときの拡大模式図である。
【００４９】
図４および図５に関して前述したように、使用者がハンドル５４０を回動させると、支柱５５０は、ケースプレート２２０の下面からみて倒立した状態となる。つまり、使用者がハンドル５４０を回動させると、回動軸５３０に取り付けられた支柱５５０は、その回動軸５３０の回動に連動して回動し、図１２に表した二点鎖線の支柱５５０の状態から実線の支柱５５０の状態へと遷移する。
【００５０】
このとき、支柱５５０は、係合部８４４の係合凹部８４４ｂ（図１１参照）に入り込む。これと同様に、支柱５５０の係合凸部５５１は、係合部８４４の係合壁８４４ａ（図１１参照）と、ガイドプレート８４０の底部８４１と、の間を前方へ向かって進入する。つまり、支柱５５０の係合凸部５５１と、係合部８４４と、は図１３に表したように係合する。この状態から、例えば、使用者が無理にあるいは悪戯にケーシング２００の前方側を上昇させようとしても、支柱５５０の係合凸部５５１が係合壁８４４ａに当接するため、支柱５５０は、図１２に表した矢印Ａ７のようには、この状態から上昇することはできない。
【００５１】
これにより、支柱５５０が倒立し、支柱５５０の係合凸部５５１と、係合部８４４と、が係合した状態から、使用者が無理にあるいは悪戯にケーシング２００の前方側を上昇させようとしても、ケーシング２００は、その状態よりも上昇することはできない。つまり、ケーシング２００は、その前方側が便器８００の上面８２０から上昇した状態から無理にあるいは悪戯に持ち上げられても必要以上に上昇しない。そのため、本実施形態にかかるトイレ装置の固定具２４０などが破壊したり破損したりすることを抑制することができる。
【００５２】
次に、ケーシング２００が下降した状態から上昇することを防止するロック機構について、図面を参照しつつ説明する。  
図１４は、ケーシングの前方側が下降した状態において昇降装置の近傍を眺めた断面模式図である。  
本実施形態のフック５７０は、図１４に表したように、昇降装置５００の外部へ向かって突出した爪部５７３を有する。一方、ガイドプレート８４０は、図１４および図１１に表したように、第１のロック部８４７を有する。第１のロック部８４７は、図１４に表したように、フック５７０の爪部５７３と係合可能な係合溝８４７ａを有する。そして、ケーシング２００が下降した状態では、図１４に表したように、フック５７０の爪部５７３と、第１のロック部８４７の係合溝８４７ａと、は互いに係合している。
【００５３】
そのため、この状態から、例えば、使用者が無理にあるいは悪戯にケーシング２００の前方側を上昇させようとしても、爪部５７３と係合溝８４７ａとが互いに係合しているため、フック５７０を有する昇降装置５００は、この状態から上昇することはできない。つまり、昇降装置５００が取り付けられたケーシング２００は、図１４に表した矢印Ａ８のようには、この状態から上昇することはできない。
【００５４】
これにより、ケーシング２００が下降した状態から、使用者が無理にあるいは悪戯にケーシング２００の前方側を持ち上げて上昇させようとしても、ケーシング２００は、その状態から上昇することはできない。そのため、本実施形態にかかるトイレ装置の昇降装置５００などが破壊したり破損したりすることを抑制することができる。
【００５５】
なお、本実施形態の第１のロック部８４７は、複数の係合溝８４７ａを有しているが、便器８００の製造誤差などを考慮すると、このように複数の係合溝８４７ａを有することがより好ましい。これによれば、便器８００の製造誤差などにより、便器８００の上面８２０の高さや表面形状などにばらつきが生じた場合でも、フック５７０の爪部５７３は、複数の係合溝８４７ａのいずれかと係合することができる。つまり、第１のロック部８４７が複数の係合溝８４７ａを有することにより、便器８００の製造誤差などに対して柔軟に対応することができる。
【００５６】
一方、使用者が、ハンドル５４０を回動させ、ケーシング２００の前方側を上昇させようとしても、爪部５７３と係合溝８４７ａとが係合したままでは、ケーシング２００の前方側は上昇できない。そこで、本実施形態にかかるトイレ装置では、使用者がハンドル５４０を図２に表した矢印Ａ１のように引き出すと、フック５７０の爪部５７３は、昇降装置５００のケース５１０内に後退できる。これにより、爪部５７３と係合溝８４７ａとの係合が解除され、ケーシング２００の前方側は、便器８００の上面８２０から上昇して離間することができる。このフック５７０の動作の詳細について、図面を参照しつつ説明する。
【００５７】
図１５は、ハンドルを操作するときのフックの動作を説明するための平面模式図である。  
なお、図１５（ａ）は、第２のばね押さえ５８３とスライダ５６０とが当接したときの状態を表す平面模式図であり、図１５（ｂ）は、第２のばね押さえ５８３がスライダ５６０を押しているときの状態を表す平面模式図であり、図１５（ｃ）は、第２のばね押さえ５８３とスライダ５６０とが離間したときの状態を表す平面模式図である。
【００５８】
まず、使用者が、図２に表した矢印Ａ１のように、ばね５８６の付勢力に逆らいつつハンドル５４０を引き出すと、回動軸５３０は、図１５（ａ）に表した矢印Ａ１１のように、軸方向に移動する。この回動軸５３０の移動と連動して、回動軸５３０に固定された第２のばね押さえ５８３は、図１５（ａ）に表した矢印Ａ１１のように、回動軸５３０の軸方向に移動する。そうすると、第２のばね押さえ５８３は、図１５（ａ）に表したように、スライダ５６０の突部５６５と当接する。
【００５９】
この状態から、使用者が、ばね５８６、５８９の付勢力に逆らいつつハンドル５４０を矢印Ａ１（図２参照）の方向にさらに引き出すと、スライダ５６０は、図１５（ａ）に表した矢印Ａ１２のように、回動軸５３０の軸方向に移動する。これに伴い、スライダ５６０の突部５６３は、矢印Ａ１２の方向に移動する。そうすると、スライダ５６０の突部５６３は、図１５（ｂ）に表した矢印Ａ１４のように、見かけ上フック５７０の溝部５７１内を移動する。
【００６０】
より具体的には、フック５７０の上面に設けられた溝部５７１は、図１５（ａ）〜（ｃ）に表したように、ハンドル５４０側（図１５では右側）へ向かうにつれて爪部５７３側（図１５では上側）へ向かうように、回動軸５３０からみて斜めに形成されている。そして、爪部５７３の近傍では、溝部５７１は、回動軸５３０の軸方向と並行するように形成されている。
【００６１】
そのため、スライダ５６０の突部５６３が回動軸５３０の軸方向と並行してハンドル５４０側へ移動すると、その突部５６３は、回動軸５３０からみて斜めに形成された溝部５７１の壁面をハンドル５４０側へ押す。そうすると、フック５７０は、溝部５７１の壁面がスライダ５６０の突部５６３から受けた力により、図１５（ａ）に表した矢印Ａ１３の方向に移動する。これに伴い、スライダ５６０の突部５６３は、図１５（ｂ）に表した矢印Ａ１４のように、見かけ上フック５７０の溝部５７１内を移動する。
【００６２】
これにより、フック５７０の爪部５７３は、図１５（ｂ）に表したように、昇降装置５００のケース５１０内に後退する。そうすると、フック５７０の爪部５７３と、第１のロック部８４７の係合溝８４７ａと、の係合は解除される。そのため、この状態において、使用者がハンドル５４０を図３に表した矢印Ａ２のように回動させると、ケーシング２００の前方側は、便器８００の上面８２０から上昇し離間する。つまり、使用者は、ハンドル５４０を引き出した状態のままで回動させることにより、ケーシング２００の前方側を便器８００の上面８２０から上昇させ離間させることができる。
【００６３】
続いて、使用者がハンドル５４０から手を離す、あるいはハンドル５４０を引き出す力を小さくすると、回動軸５３０は、ばね５８６からの付勢力を受け、図１５（ｃ）に表した矢印Ａ１５のように、軸方向に移動する。この回動軸５３０の移動と連動して、回動軸５３０に固定された第２のばね押さえ５８３は、図１５（ｃ）に表した矢印Ａ１５のように、回動軸５３０の軸方向に移動する。
【００６４】
そうすると、スライダ５６０は、ばね５８９からの付勢力を受け、図１５（ｃ）に表した矢印Ａ１６の方向に移動する。これに伴い、スライダ５６０の突部５６３は、矢印Ａ１６の方向に移動する。このとき、突部５６３は、回動軸５３０からみて斜めに形成された溝部５７１の壁面をハンドル５４０とは反対側（図１５では左側）へ押す。そうすると、フック５７０は、溝部５７１の壁面がスライダ５６０の突部５６３から受けた力により、図１５（ｃ）に表した矢印Ａ１７の方向に移動する。
【００６５】
これにより、フック５７０の爪部５７３は、図１５（ｃ）に表したように、昇降装置５００のケース５１０外に進出する。そうすると、フック５７０の爪部５７３と、第１のロック部８４７の係合溝８４７ａと、が係合しロックがかかる。そのため、ケーシング２００が下降した状態から、使用者が無理にあるいは悪戯にケーシング２００の前方側を持ち上げて上昇させようとしても、ケーシング２００は、その状態から上昇することはできない。
【００６６】
次に、ケーシング２００を便器８００の上面８２０に設置するときのフック５７０の動作について、図面を参照しつつ説明する。  
図１６は、ケーシングを便器の上面に設置するときのフックの動作を説明するための断面模式図である。  
また、図１７は、ケーシングを便器の上面に設置するときのフックおよびスライダの動作を説明するための平面模式図である。
【００６７】
まず、作業者などが、図１６（ａ）に表した矢印Ａ２１のように、昇降装置５００が取り付けられたケーシング２００を下降させる。フック５７０の爪部５７３が、図１６（ａ）に表したように、第１のロック部８４７の上端に接触していないときには、図１６（ａ）および図１７（ａ）に表したように、その爪部５７３は、昇降装置５００のケース５１０外に進出している。
【００６８】
続いて、作業者などが、図１６（ｂ）に表した矢印Ａ２２ように、ケーシング２００をさらに下降させると、フック５７０の爪部５７３は、第１のロック部８４７の上端に接触する。そうすると、爪部５７３は、第１のロック部８４７から力を受け、図１６（ｂ）および図１７（ｂ）に表した矢印Ａ２３のように、ケース５１０内に後退しようとする。このとき、フック５７０の溝部５７１は、フック５７０（爪部５７３）の移動に連動して矢印Ａ２３の方向に移動する。
【００６９】
そうすると、スライダ５６０の突部５６３は、回動軸５３０からみて斜めに形成された溝部５７１の壁面から矢印Ａ２３の方向へ力を受ける。これにより、スライダ５６０は、ばね５８９からの付勢力に逆らいつつ図１７（ｂ）に表した矢印Ａ２４の方向に移動する。これは、図１５に関して前述したように、フック５７０の溝部５７１が、ハンドル５４０側（図１７では右側）へ向かうにつれて爪部５７３側（図１７では上側）へ向かうように、回動軸５３０からみて斜めに形成されているためである。
【００７０】
そして、作業者などが、図１６（ｃ）に表した矢印Ａ２５のように、ケーシング２００をさらに下降させると、爪部５７３は、図１６（ｃ）および図１７（ｃ）に表した矢印Ａ２６のように、ケース５１０内にさらに後退する。このとき、スライダ５６０は、ばね５８９からの付勢力に逆らいつつ図１７（ｃ）に表した矢印Ａ２７の方向にさらに移動する。
【００７１】
続いて、作業者などは、フック５７０の爪部５７３と、第１のロック部８４７の係合溝８４７ａと、が略同じ高さの位置になるまでケーシング２００をさらに下降させる。そうすると、爪部５７３と、第１のロック部８４７と、は非接触となるため、爪部５７３が第１のロック部８４７から受けていた力は、解除される。そうすると、スライダ５６０は、ばね５８９からの付勢力を受け、図１７（ｄ）に表した矢印Ａ２９の方向に移動する。
【００７２】
これに伴い、スライダ５６０の突部５６３は、矢印Ａ２９の方向に移動する。このとき、突部５６３は、回動軸５３０からみて斜めに形成された溝部５７１の壁面を矢印Ａ２９の方向へ押す。そうすると、フック５７０は、溝部５７１の壁面がスライダ５６０の突部５６３から受けた力により、図１６（ｄ）および図１７（ｄ）に表した矢印Ａ２８の方向に移動する。これにより、爪部５７３は、図１６（ｄ）に表したように、ケース５１０外に進出して係合溝８４７ａと係合し、ロックがかかる。そのため、ケーシング２００が下降した状態から、使用者が無理にあるいは悪戯にケーシング２００の前方側を持ち上げて上昇させようとしても、ケーシング２００は、その状態から上昇することはできない。
【００７３】
なお、図１６（ｄ）に表した状態では、爪部５７３は、上から２段目の係合溝８４７ａと係合しているが、これだけに限定されるわけではない。爪部５７３が上から１段目あるいは３段目の係合溝８４７ａと係合する場合でも、前述したフック５７０およびスライダ５６０の動作により、爪部５７３は、係合溝８４７ａと係合可能である。
【００７４】
本実施形態によれば、作業者などがケーシング２００を便器８００の上面８２０に設置するときには、ケーシング２００を便器８００の上面８２０に下降させることにより、爪部５７３と係合溝８４７ａとを係合させロックをかけることができる。つまり、作業者などがケーシング２００を便器８００の上面８２０に設置するときには、ハンドル５４０を操作する必要はない。また、そのときには、ハンドル５４０や回動軸５３０は、移動あるいは回動しない。そのため、ケーシング２００を便器８００の上面８２０に楽に設置することができる。
【００７５】
次に、ケーシング２００の前方側が上昇した状態から不意に下降することを防止するロック機構について、図面を参照しつつ説明する。  
まず、昇降装置５００のケース５１０に固定されたロック部材５８１と、回動軸５３０と、の構造あるいは形状について説明する。
【００７６】
図１８は、昇降装置の内部構造を表す斜視模式図である。  
図９に関して前述したように、昇降装置５００のケース５１０には、回動軸５３０の先端部の回動をロックするロック部材５８１が固定されている。このロック部材５８１は、図１８の挿入図に表したように、ロック部材５８１の表面を垂直にみたときに矩形状をした貫通孔（第２のロック部）５８１ａを有する。一方、回動軸５３０は、図１８に表したように、回動軸５３０を軸方向にみたときに矩形状の断面を有する。そして、回動軸５３０の矩形状の断面形状（外形）は、ロック部材５８１の貫通孔５８１ａよりもやや小さい。
【００７７】
そのため、回動軸５３０は、ロック部材５８１の貫通孔５８１ａを所定の回動角度において貫通できる。そして、図１８に表したように、回動軸５３０が貫通孔５８１ａを貫通した状態では、回動軸５３０の外面と、貫通孔５８１ａの内面と、が当接するため、回動軸５３０は回動できない。あるいは、回動軸５３０の外面と隣接する外面との稜線部分（角部）と、貫通孔５８１ａの内面と、が当接するため、回動軸５３０は、この状態では回動できない。
【００７８】
一方、回動軸５３０がハンドル５４０側へ移動し、その先端部がロック部材５８１の貫通孔５８１ａから抜けると、回動軸５３０の外面あるいは角部と、貫通孔５８１ａの内面と、は当接しない。そのため、回動軸５３０の先端部がロック部材５８１の貫通孔５８１ａから抜けた状態では、回動軸５３０は回動できる。そのため、使用者は、ケーシング２００の前方側を便器８００の上面８２０から上昇させ離間させるためにハンドル５４０を回動させるときには、図２に表した矢印Ａ１のように、ハンドル５４０を側方に引き出す必要がある。
【００７９】
ここで、回動軸５３０の先端部には、図１８に表したように、回動軸５３０を軸方向に対して垂直にみたときに傾斜した第１の面取り部５３１が形成されている。そのため、回動軸５３０の先端部がロック部材５８１の貫通孔５８１ａから完全に抜けていなくとも、第１の面取り部５３１が貫通孔５８１ａ内にあれば、回動軸５３０は回動できる。またさらに、回動軸５３０の先端部には、図１８に表したように、回動軸５３０を軸方向にみたときに傾斜した第２の面取り部５３３（図１８に表した斜線部分）が、軸方向に並行して形成されている。そして、第２の面取り部５３３と、ロック部材５８１の貫通孔（第２のロック部）５８１ａと、により、ケーシング２００の前方側が上昇した状態から不意に下降することを防止することができる。
【００８０】
次に、ケーシング２００が不意に下降することを防止するロック機構の動作について、図面を参照しつつ説明する。  
図１９は、ケーシングが不意に下降することを防止するロック機構の動作を説明するための平面模式図である。  
また、図２０は、回動軸の先端部を軸方向にみたときの回動軸とロック部材との関係を表す平面模式図である。  
なお、図２０は、回動軸５３０およびロック部材５８１を図１８に表した矢視Ａ３０の方向にみたときの平面模式図である。  
また、図２０（ａ）は、ハンドル５４０の回動角度が０度のときの状態を表しており、図２０（ｂ）は、ハンドル５４０の回動角度が８０度のときの状態を表しており、図２０（ｃ）は、ハンドル５４０の回動角度が９０度のときの状態を表している。
【００８１】
まず、使用者がハンドル５４０を引き出していないときには、回動軸５３０に固定された第１のばね押さえ５８５は、左側方（図１９での左方向）への付勢力をばね５８６から受けている。そのため、回動軸５３０は、第１のばね押さえ５８５を介して左側方への付勢力をばね５８６から受けている。このとき、図１９（ａ）に表したように、ロック部材５８１と第２のばね押さえ５８３とは、当接する。これにより、回動軸５３０は、左側方への移動を抑制され停止している。つまり、この状態において、ロック部材５８１および第２のばね押さえ５８３は、回動軸５３０のストッパとして機能している。
【００８２】
そして、この状態では、図２０（ａ）に表したように、回動軸５３０の外面あるいは角部と、貫通孔５８１ａの内面と、が当接するため、回動軸５３０は回動できない。すなわち、この状態では、使用者は、ハンドル５４０を回動させることができない。
【００８３】
続いて、使用者が、図１９（ａ）に表した矢印Ａ３１のように、ばね５８６の付勢力に逆らいつつハンドル５４０を引き出すと、回動軸５３０は、図１９（ｂ）に表した矢印Ａ３２のように軸方向に移動する。そうすると、第２のばね押さえ５８３は、図１９（ｂ）に表したように、スライダ５６０の突部５６５と当接する。この状態から、使用者が、ばね５８６、５８９の付勢力に逆らいつつハンドル５４０を矢印Ａ３２の方向にさらに引き出すと、スライダ５６０は、図１９（ｂ）に表した矢印Ａ３３の方向に移動する。そして、フック５７０の爪部５７３は、ケース５１０内に後退する。これらの動作については、図１５に関して前述した如くである。
【００８４】
続いて、使用者が、図１９（ｃ）に表した矢印Ａ３４のように、ハンドル５４０をさらに引き出すと、回動軸５３０の先端部に設けられた第２の面取り部５３３は、ロック部材５８１の貫通孔５８１ａを貫通する。また、回動軸５３０の先端部に設けられた第１の面取り部５３１の一部は、貫通孔５８１ａを貫通し、第１の面取り部５３１の他部は、貫通孔５８１ａ内に存在する。この状態では、図１８に関して前述したように、回動軸５３０は回動できる。すなわち、使用者は、ハンドル５４０を回動させることができる。
【００８５】
続いて、使用者が、ハンドル５４０を約８０〜９０度ほど回動させ、ハンドル５４０から手を離す、あるいはハンドル５４０を引き出す力を小さくする。そうすると、第１のばね押さえ５８５は、左側方への付勢力をばね５８６から受けているため、回動軸５３０は、図１９（ｄ）に表した矢印Ａ３５の方向に移動する。
【００８６】
このとき、第１の面取り部５３１の他部は、前述したように貫通孔５８１ａ内に存在するため、回動軸５３０は、ロック部材５８１から抵抗をほとんど受けることなく、矢印Ａ３５の方向になめらかに移動できる。より具体的には、回動軸５３０がロック部材５８１の貫通孔５８１ａを完全に貫通すると、回動軸５３０の軸方向が振れたりずれたりする場合がある。この場合には、回動軸５３０が矢印Ａ３５の方向に移動する際に、その先端がロック部材５８１に引っ掛かる場合がある。
【００８７】
これに対して、本実施形態では、第１の面取り部５３１の他部は、貫通孔５８１ａ内に存在するため、回動軸５３０は、矢印Ａ３５の方向に移動する際にロック部材５８１に引っ掛かることなくなめらかに移動できる。また、回動軸５３０の移動に伴い、スライダ５６０は、図１９（ｄ）に表した矢印Ａ３６の方向に移動する。これらの動作については、図１５に関して前述した如くである。
【００８８】
このとき、図１９（ｄ）に表したように、回動軸５３０に固定された第１のばね押さえ５８５と、ケース５１０の壁面５１１（図９参照）と、は当接する。より具体的には、第１のばね押さえ５８５は、偏った形状、あるいは所定方向にだけ突部が形成された形状を有する。そのため、第１のばね押さえ５８５が、ハンドル５４０の回動に連動して所定角度以上回動すると、偏った部分あるいは所定方向にだけ形成された突部と、ケース５１０の壁面５１１と、は当接する。
【００８９】
これにより、回動軸５３０は、図１９（ｄ）に表したように、その先端部に形成された第２の面取り部５３３の一部が貫通孔５８１ａ内に移動したところで停止する。つまり、使用者がハンドル５４０を約８０〜９０度ほど回動させた状態において、第１のばね押さえ５８５およびケース５１０の壁面５１１は、回動軸５３０のストッパとして機能する。
【００９０】
ここで、図１８に関して前述したように、回動軸５３０の先端部には、回動軸５３０を軸方向にみたときに傾斜した第２の面取り部５３３が軸方向に並行して形成されている。そのため、図２０（ｂ）に表したように、使用者がハンドル５４０を約８０度ほど回動させると、第２の面取り部５３３と、貫通孔５８１ａの内面と、は略並行となる。そうすると、図１９（ｄ）に表したように、第２の面取り部５３３の一部は、貫通孔５８１ａ内に移動できる。
【００９１】
そして、この状態において、使用者や清掃用具などがハンドル５４０に不意に接触しても、第２の面取り部５３３と、貫通孔５８１ａの内面と、が当接するため、回動軸５３０は回動できない。すなわち、この状態において、使用者や清掃用具などがハンドル５４０に不意に接触しても、回動軸５３０に固定された支柱５５０は回動できない。これによれば、使用者がハンドル５４０を約８０度ほど回動させた状態、すなわち、ケーシング２００の前方側が便器８００の上面８２０からある程度上昇して離間した状態において、使用者や清掃用具などがハンドル５４０に不意に接触しても、ケーシング２００の前方側が不意に下降することを防止することができる。これにより、使用者は、より安心してシール材２２１や離間した隙間の部分を清掃することができる。
【００９２】
また、図２０（ｃ）に表したように、使用者がハンドル５４０を約９０度ほど回動させたときでも、回動軸５３０の先端部に第２の面取り部５３３が形成されているため、第２の面取り部５３３の一部は、貫通孔５８１ａ内に移動できる。そして、この状態において、使用者や清掃用具などがハンドル５４０あるいは回動軸５３０や支柱５５０に不意に接触しても、第２の面取り部５３３と、貫通孔５８１ａの内面と、が当接するため、回動軸５３０および支柱５５０は回動できない。つまり、使用者がハンドル５４０を約９０度ほど回動させた状態において、使用者や清掃用具などがハンドル５４０あるいは回動軸５３０や支柱５５０に不意に接触しても、ケーシング２００の前方側が不意に下降することを防止することができる。
【００９３】
このように、本実施形態では、使用者がハンドル５４０を約８０〜９０度ほど回動させると、第２の面取り部５３３の一部は貫通孔５８１ａ内に移動し、回動軸５３０および支柱５５０は回動できない。これによれば、支柱５５０がガイドプレート８４０の底部８４１（図１１参照）からみて９０度よりも小さい角度、すなわち支柱５５０が中立角度よりも小さい角度の状態でも、回動軸５３０および支柱５５０の回動をロックすることができる。そのため、ケーシング２００の前方側が最も上昇する前であって、便器８００の上面８２０からある程度離間した状態においても、ケーシング２００の前方側が不意に下降することを防止することができる。これにより、使用者は、より安心してシール材２２１や離間した隙間の部分を清掃することができる。
【００９４】
また、ハンドル５４０を約８０〜９０度ほど回動させた位置で回動軸５３０は回動できなくなるので、ガイドプレート８４０の底部８４１に対して支柱５５０がほぼ垂直に倒立した状態で回動軸５３０は回動できなくなる。よって、ケーシング２００を便器８００の上面８２０から最も離間させた状態を安定的に保持できるので、支柱５５０の長さを長くすることなしにケーシング２００と便器８００の上面８２０との距離を稼ぐことができる。そのため、昇降装置が大型化することがない。また、使用者は、シール材２２１や離間した隙間をより簡単に清掃することができる。
【００９５】
但し、これらの角度は、前述した角度に限定されるわけではなく、第２の面取り部５３３の傾斜角度を設定変更することにより、適宜変更することができる。すなわち、第２の面取り部５３３の傾斜角度を設定変更することにより、使用者がハンドル５４０を約７５度ほど回動させたときからロックがかかるようにしてもよい。また、使用者がハンドル５４０を回動させていない状態において、支柱５５０は、ガイドプレート８４０の底部８４１からみて予め傾斜して回動軸５３０に固定されていてもよい。これによれば、例えば、使用者がハンドル５４０を約９０度ほど回動させたときには、支柱５５０は、ガイドプレート８４０の底部８４１からみて９０度の状態、すなわち中立状態をすでに過ぎているため、より安定的にケーシング２００を支持することができる。
【００９６】
次に、ハンドル５４０の近傍の構造および形状について、図面を参照しつつ説明する。  図２１は、本実施形態にかかるトイレ装置を右側方から眺めた平面模式図である。  
また、図２２は、ハンドルの近傍の構造を説明するための拡大模式図である。  
また、図２３は、ハンドルの把持方法の一例を表す斜視模式図である。  
また、図２４は、ハンドルと回動軸との取付構造を例示する拡大模式図である。  
なお、図２２（ａ）は、ハンドルの近傍を拡大して眺めた平面模式図であり、図２２（ｂ）は、ハンドルの収納部の近傍を拡大して眺めた斜視模式図である。  
また、図２４（ａ）は、ハンドルを回動軸側からみた斜視模式図であり、図２４（ｂ）は、ハンドルを上方あるいは下方から眺めたときの断面模式図である。
【００９７】
便器８００の後方側部には、図２１に表したように、パネル８３０が設けられている。このパネル８３０は、引き出されていない状態のハンドル５４０、すなわち収納状態にあるハンドル５４０を収納可能な収納部８３１を有する。この収納部８３１は、図２２（ｂ）に表したように、パネル８３０の外面すなわちトイレ装置の外郭面から内部へ後退した凹形状を有している。そのため、ハンドル５４０が収納部８３１に収納された状態では、図２２（ｂ）に表したように、ハンドル５４０の外面５４１と、パネル８３０の外面すなわちトイレ装置の外郭面と、は同一面となっている。これにより、本実施形態にかかるトイレ装置の意匠性を損なうことはない。
【００９８】
また、ハンドル５４０は、図２３に表したように、切り欠き部５４４を有する。そのため、使用者は、例えばこの切り欠き部５４４を通して収納部８３１に親指を挿入できる。そして、使用者は、その親指をハンドル５４０の外面５４１に対向する裏面５４３（図２４参照）に引っ掛け、図２３に表した矢印Ａ４１の方向に引くことにより、ハンドル５４０を引き出すことができる。
【００９９】
そして、使用者は、ハンドル５４０を持ち替えることなく、人差し指、中指、薬指、および小指をハンドル５４０の上面５４２に載せることができる。続いて、使用者は、ハンドル５４０の上面５４２に載せた人差し指、中指、薬指、および小指により、図２３に表した矢印Ａ４２のように、ハンドル５４０を回動させることができる。つまり、使用者は、ハンドル５４０を引き出す動作と、ハンドル５４０を回動させる動作と、を手を持ち替えることなく一連の動作として楽に行うことができる。これによれば、使用者は、ハンドル５４０の引き出し動作および回動動作を行うことにより、ケーシング２００の前方側を便器８００の上面８２０から楽に上昇させ離間させることができる。  
なお、ハンドル５４０は、図２４（ａ）および図２４（ｂ）に表したように、蓋体５４５を介してねじなどの取付具５４６により回動軸５３０に取り付けられている。
【０１００】
以上説明したように、本実施形態によれば、使用者は、ハンドル５４０を回動させることにより、ケーシング２００の前方側を便器８００の上面８２０から上昇させ離間させることができる。そのため、使用者は、ケーシング２００と、便器８００の上面８２０と、の間の隙間から清掃用具や手などを入れることにより、その隙間の部分や、ケーシング２００と便器８００との間への汚水浸入を防止するシール材２２１などを容易に清掃することができる。また、本実施形態にかかるトイレ装置には、各種ロック機能が設けられているため、使用者が無理にあるいは悪戯にケーシング２００の前方側を上昇させようとしても、その上昇を防止することができる。また、使用者や清掃用具などがハンドル５４０に不意に接触しても、ケーシング２００の前方側が不意に下降することを防止することができる。そのため、トイレ装置が破壊したり破損したりすることを抑制することができる。また、使用者は、より安心してシール材２２１や離間した隙間の部分を清掃することができる。
【０１０１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、昇降装置５００などが備える各要素の形状、寸法、材質、配置などや回動軸５３０やガイドプレート８４０の設置形態などは、例示したものに限定されるわけではなく適宜変更することができる。
【０１０２】
すなわち、例えば、昇降装置５００は、ケーシング２００ではなく、便器８００に適宜取り付けられていてもよい。そして、ガイドプレート８４０は、便器８００ではなく、ケーシング２００に適宜取り付けられていてもよい。この場合であっても、支柱５５０が回動し倒立することにより、ケーシング２００の前方側を便器８００の上面８２０から上昇させ離間させることができる。
【０１０３】
またさらに、本実施形態では、ハンドル５４０により回動軸５３０を回動させる場合を例に挙げて説明したがこれだけに限定されず、モータなどにより回動軸５３０を回動させてもよい。つまり、回動軸５３０の作動部は、モータであってもよい。これによれば、使用者は、例えば図示しないリモコンなどを操作することにより、電気的に回動軸５３０を回動させることができる。
【０１０４】
またさらに、回動軸５３０と、支柱５５０と、は一体的に形成されていてもよく、便器８００あるいはケーシング２００と、ガイドプレート８４０と、は一体的に形成されていてもよく、便器プレート８５０と、便器８００と、は一体的に形成されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０５】
１００ 局部洗浄装置、  ２００ ケーシング、  ２１０ ケースカバー、  ２２０ ケースプレート、  ２２１ シール材、  ２２３ 凹部、  ２４０ 固定具、  ２４１ ナット固定部材、  ２４１ａ 軸挿入部、  ２４２ ナット、  ２４３ 回動軸部材、  ２４３ａ 軸部、  ２４５ 取付具、  ２４６ 取付具、  ３００ 便座、  ４００ 便蓋、  ５００ 昇降装置、  ５０１ 取付具、  ５１０ ケース、  ５１１ 壁面、  ５２０ カバー、  ５３０ 回動軸、  ５３１ 第１の面取り部、  ５３３ 第２の面取り部、  ５４０ ハンドル、  ５４１ 外面、  ５４２ 上面、  ５４３ 裏面、  ５４４ 切り欠き部、  ５４５ 蓋体、  ５４６ 取付具、  ５５０ 支柱、  ５５１ 係合凸部、  ５６０ スライダ、  ５６１ 突部、  ５６３ 突部、  ５６５ 突部、  ５７０ フック、  ５７１ 溝部、  ５７３ 爪部、  ５８１ ロック部材、  ５８１ａ 貫通孔（第２のロック部）、  ５８３ 第２のばね押さえ、  ５８５ 第１のばね押さえ、  ５８６ ばね、  ５８７ ブッシュ、  ５８９ ばね、  ８００ 便器、  ８１０ ボウル、  ８２０ 上面、  ８３０ パネル、  ８３１ 収納部、  ８４０ ガイドプレート、  ８４１ 底部、  ８４２ 壁面、  ８４４ 係合部、  ８４４ａ 係合壁、  ８４４ｂ 係合凹部、  ８４５ 貫通孔、  ８４７ 第１のロック部、  ８４７ａ 係合溝、  ８５０ 便器プレート
【図１】
2010275686.tif 000003
【図２】
2010275686.tif 000004
【図３】
2010275686.tif 000005
【図４】
2010275686.tif 000006
【図５】
2010275686.tif 000007
【図６】
2010275686.tif 000008
【図７】
2010275686.tif 000009
【図８】
2010275686.tif 000010
【図９】
2010275686.tif 000011
【図１０】
2010275686.tif 000012
【図１１】
2010275686.tif 000013
【図１２】
2010275686.tif 000014
【図１３】
2010275686.tif 000015
【図１４】
2010275686.tif 000016
【図１５】
2010275686.tif 000017
【図１６】
2010275686.tif 000018
【図１７】
2010275686.tif 000019
【図１８】
2010275686.tif 000020
【図１９】
2010275686.tif 000021
【図２０】
2010275686.tif 000022
【図２１】
2010275686.tif 000023
【図２２】
2010275686.tif 000024
【図２３】
2010275686.tif 000025
【図２４】
2010275686.tif 000026